(57)【要約】【課題】リモコンホルダの取付位置を変えることなく、リモコン本体の配置位置を変更することができるリモコン装置を提供する。【解決手段】リモコンホルダ１０には、上下方向に位置を異ならせて複数の係合部１２が設けられており、隣り合う係合部１２，１２同士がスリット１３によって連絡されている。各係合部１２は、係合孔１７と、該係合孔１７から横方向に延在するスリット１９とを有している。リモコンホルダ１０を壁面１に取り付け、所望高さの係合孔１７内に係止部３１を差し込み、次いでリモコン本体３０を右方向にスライドさせて係止部３１をスリット１９に係合させることにより、リモコン本体３０が所望高さに設置される。リモコン本体３０の設置高さを変更する場合には、リモコン本体３０を左方向へスライドさせて係止部３１とスリット１９との係合を解除し、スリット１３を通して係止部３１を別の係合孔１７へ移動させる。その後、リモコン本体３０を右方向へスライドさせて係止部３１をスリット１９に係合させる。【選択図】図１
2006197363.tif 000002
【特許請求の範囲】
【請求項１】
壁面に取り付けられるリモコンホルダと、該リモコンホルダに対し係止されるリモコン本体とを有し、
該リモコン本体に設けられた係止部が該リモコンホルダに設けられた係合部に対し係合することにより、該リモコン本体が該リモコンホルダに対し係止されるリモコン装置において、
該リモコンホルダに配置位置を異ならせて複数の係合部が設けられており、該係止部が係合する係合部を異ならせることにより、リモコン本体の位置を変更可能としたことを特徴とするリモコン装置。
【請求項２】
請求項１において、該リモコンホルダに該係合部同士をつなぐスリットが設けられており、
前記リモコン本体の係止部は、該スリットを通って別の係合部へ移動可能であることを特徴とするリモコン装置。
【請求項３】
壁面に取り付けられるリモコンホルダと、該リモコンホルダに対し係止されるリモコン本体とを有し、
該リモコン本体に設けられた係止部が該リモコンホルダに設けられた係合部に対し係合することにより、該リモコン本体が該リモコンホルダに対し係止されるリモコン装置において、
該リモコン本体に配置位置を異ならせて複数の係止部が設けられており、該係合部が係合する係止部を異ならせることにより、リモコン本体の位置を変更可能としたことを特徴とするリモコン装置。
【請求項４】
請求項３において、該リモコン本体に該係止部同士をつなぐスリットが設けられており、
前記リモコンホルダの係合部は、該スリットを通って別の係止部へ移動可能であることを特徴とするリモコン装置。
【発明の詳細な説明】
【技術分野】
【０００１】
本発明は、機器をリモートコントロールするためのリモコン装置に係り、特にリモコン本体がリモコンホルダを介して壁面に取り付けられるリモコン装置に関する。
【背景技術】
【０００２】
リモコン本体をリモコンホルダを介して壁面に取り付けるようにしたリモコン装置は特開平７−３２４３６６号公報に記載されている。同号公報では、ブラケットと称されるリモコンホルダを壁面にビス留めし、このリモコンホルダに設けた爪に対しリモコン本体の溝を上方からスライド嵌めするようにして該リモコン本体をリモコンホルダに保持させている。
【特許文献１】特開平７−３２４３６６号公報
【発明の開示】
【発明が解決しようとする課題】
【０００３】
上記特開平７−３２４３６６号公報のリモコン装置にあっては、リモコンホルダに対するリモコン本体の位置は一義的に定まってしまうため、リモコンの位置を変えるにはリモコンホルダそのものの壁面への取り付け位置を変える必要があり、面倒である。また、壁面に元のビス留め孔の他に新たなビス留め孔が穿たれることになり、壁面の美観が損なわれたり、賃貸住宅等には適さない場合もある。
【０００４】
本発明は、リモコンホルダの取付位置を変えることなく、リモコン本体の配置位置を変更することができるリモコン装置を提供することを目的とする。
【課題を解決するための手段】
【０００５】
請求項１のリモコン装置は、壁面に取り付けられるリモコンホルダと、該リモコンホルダに対し係止されるリモコン本体とを有し、該リモコン本体に設けられた係止部が該リモコンホルダに設けられた係合部に対し係合することにより、該リモコン本体が該リモコンホルダに対し係止されるリモコン装置において、該リモコンホルダに配置位置を異ならせて複数の係合部が設けられており、該係止部が係合する係合部を異ならせることにより、リモコン本体の位置を変更可能としたことを特徴とするものである。
【０００６】
請求項２のリモコン装置は、請求項１において、該リモコンホルダに該係合部同士をつなぐスリットが設けられており、前記リモコン本体の係止部は、該スリットを通って別の係合部へ移動可能であることを特徴とするものである。
【０００７】
請求項３のリモコン装置は、壁面に取り付けられるリモコンホルダと、該リモコンホルダに対し係止されるリモコン本体とを有し、該リモコン本体に設けられた係止部が該リモコンホルダに設けられた係合部に対し係合することにより、該リモコン本体が該リモコンホルダに対し係止されるリモコン装置において、該リモコン本体に配置位置を異ならせて複数の係止部が設けられており、該係合部が係合する係止部を異ならせることにより、リモコン本体の位置を変更可能としたことを特徴とするものである。
【０００８】
請求項４のリモコン装置は、請求項３において、該リモコン本体に該係止部同士をつなぐスリットが設けられており、前記リモコンホルダの係合部は、該スリットを通って別の係止部へ移動可能であることを特徴とするものである。
【発明の効果】
【０００９】
請求項１のリモコン装置にあっては、リモコンホルダに設けられた配置位置の異なる複数の係合部のうちの所望のものにリモコン本体の係止部を係合させることにより、リモコン本体を所望の位置に配置させることができる。係止部の係合先たる係合部を変更することにより、リモコン本体の位置を変更することができる。
【００１０】
請求項２の場合、スリットを通して係止部を別の係合部へ移動させることができる。
【００１１】
請求項３は、リモコン本体側に複数の係止部を設けたものであり、リモコンホルダ側の係合部をリモコン本体の別の係止部に係合させることにより、リモコン本体の位置を変更することができる。
【００１２】
請求項４のリモコン装置にあっては、スリットを通して係合部を別の係止部へ移動させることができる。
【発明を実施するための最良の形態】
【００１３】
以下に図面を参照して本発明の実施の形態について説明する。
【００１４】
第１図（ａ）は実施の形態に係るリモコン装置のリモコンホルダの正面図であり、第１図（ｂ）はリモコン本体の背面図である。第２図及び第３図は、それぞれ、このリモコンホルダとリモコン本体との係合構造を示す水平断面図及び分解斜視図である。なお、第２図において、リモコンホルダは第１図（ａ）のII−II線に沿う断面にて示されている。以下の説明において、上下方向及び横方向（左右方向）とはリモコンホルダ及びリモコン本体を壁面に設置した状態において該壁面を正面から見たときの上下方向及び横方向（左右方向）をいう。
【００１５】
このリモコン装置は、壁面１に取り付けられるリモコンホルダ１０と、該リモコンホルダ１０に係止されるリモコン本体３０とを有している。
【００１６】
この実施の形態では、第１図（ｂ）の通り、リモコン本体３０の背面に、左右方向に位置を異ならせて１対の係止部３１，３１が設けられている。各係止部３１は、このリモコン本体３０の背面から後方（壁面１に向う方向）へ突出する軸部３２と、該軸部３２の先端外周から放射方向へ張り出す大径部３３とからなる。この実施の形態では、該軸部３２は円柱形状となっており、大径部３３は、該軸部３２よりも直径が大きく且つ該軸部３２と同心状に配置された円盤形状となっている。
【００１７】
リモコンホルダ１０は、第１図（ａ）に示すように、壁面１に沿って配置される１対の基片部１１，１１と、これらの基片部１１，１１に複数個（この実施の形態では３個）ずつ設けられた、前述の係止部３１が係合する係合部１２と、隣り合う係合部１２，１２同士をつなぐスリット１３と、該基片部１１，１１同士を連結した橋絡部１４と、このリモコンホルダ１０を壁面１に固定するためのブラケット部１５，１５と、各ブラケット部１５に設けられたビス挿通孔１６とを有している。
【００１８】
この実施の形態では、各基片部１１に、上段、中段、下段と上下方向に位置を異ならせて係合部１２が設けられており、該上段と中段の係合部１２，１２同士並びに中段と下段の係合部１２，１２同士をそれぞれつなぐように、スリット１３が上下方向に延設されている。
【００１９】
この実施の形態では、各係合部１２は、基片部１１の前面側に向って開口する係合孔１７と、該係合孔１７の奥側から横方向（この実施の形態では右方向）に向って延在する大径部収容孔１８と、該大径部収容孔１８の上下方向の中央を通って該大径部収容孔１８と平行方向に延在するスリット１９とを有している。該スリット１９は、係合孔１７の右端を起点としてそこから右方向に延在している。このスリット１９を介して大径部収容孔１８が基片部１１の前面側に向って開放している。
【００２０】
また、上下に隣り合う係合孔１７の奥側同士を連通するように、大径部移動溝２０が延設されている。前記スリット１３は、この大径部移動溝２０の左右方向の中央を通って上下方向に延在している。スリット１３の両端は、上側の係合孔１７の下端と下側の係合孔１７の上端とにそれぞれ連通している。このスリット１３を介して大径部移動溝２０が基片側１１の前面側に向って開放している。
【００２１】
該係合孔１７の直径は、大径部３３の直径よりも若干大きなものとなっている。大径部収容孔１８の上下方向幅及び大径部移動溝２０の左右方向幅も、それぞれ、大径部３３の直径よりも大きな寸法となっている。スリット１９の上下方向幅及びスリット１３の左右方向幅は、それぞれ、軸部３２の直径よりも若干大きな寸法となっている。ただし、該スリット１９の寸法は、軸部３２が入り込んできたときにきつく嵌まる大きさとなっていてもよい。
【００２２】
基片部１１，１１同士の間において同じ高さに配置された係合孔１７，１７同士の中心間距離は、係止部３１，３１同士の軸心間距離と略等しいものである。
【００２３】
各ブラケット部１５は、該基片部１１，１１同士の対向側と反対側の側縁から左右にそれぞれ延出している。各ブラケット部１５のビス挿通孔１６は、この実施の形態では、左右方向に長く延在した長穴状となっている。
【００２４】
かかる構成のリモコン装置を壁面１に設置する場合、まず、リモコンホルダ１０を壁面１に当てがい、各ブラケット部１５のビス挿通孔１６を通して該壁面１にビス２１を螺じ込み、リモコンホルダ１０を壁面１に固定する。そして、上段、中段、下段のうち所望高さの係合部１２の係合孔１７内に各係止部３１を差し込み、次いでリモコン本体３０を右方向にスライドさせて係止部３１を当該係合部１２のスリット１９に係合させる。これにより、リモコン本体３０がリモコンホルダ１０に保持され、リモコン装置の壁面１への取り付けが完了する。
【００２５】
リモコン本体３０の取付高さを変更する場合には、まず、リモコン本体３０を左方向へスライドさせて係止部３１とスリット１９との係合を解除する。次いで、リモコン本体３０を上方又は下方へスライドさせ、スリット１３を通して係止部３１を所望高さの係合部１２の係合孔１７内へ移動させる。その後、リモコン本体３０を右方向へスライドさせて係止部３１を当該係合部１２のスリット１９に係合させる。
【００２６】
このリモコン装置にあっては、リモコンホルダ１０に設けられた配置高さの異なる複数の係合部１２のうちの所望のものにリモコン本体３０の係止部３１を係合させることにより、リモコン本体３０を所望の高さに配置させることができる。また、係止部３１の係合先たる係合部１２を変更することにより、リモコンホルダ１０の取付位置を変更することなく、容易にリモコン本体３０の高さを変更することができる。この実施の形態では、スリット１３を通して係止部３１を所望高さの係合部１２へ移動させることができるので、このリモコン本体３０の位置変更作業も容易である。
【００２７】
なお、この実施の形態では、リモコン本体３０の横方向の取付位置の変更は、ビス２１を緩め、リモコンホルダ１０をビス挿通孔１６に沿って左右にスライドさせることにより行われる。
【００２８】
係合部及び係止部の形状、個数及び配置等の構成は図示のものに限定されない。
【００２９】
第４〜７図は、それぞれ、係合部の別の構成例を示すリモコンホルダの平面図である。
【００３０】
第４図のリモコンホルダ１０Ａにおいては、各係合部１２Ａは、係合孔１７から右斜め下方向にスリット１９Ａ（及び大径部収容孔１８Ａ）が延設されたものとなっている。従って、このリモコンホルダ１０Ａにあっては、リモコン本体３０（第４〜７図では図示略）の係止部３１はスリット１９Ａに落とし込まれるようにして係合するため、該リモコン本体３０に手が当るなどしても、不用意に係止部３１がスリット１９Ａから抜け出してリモコン本体３０がリモコンホルダ１０Ａから脱落することが防止される。
【００３１】
このリモコンホルダ１０Ａのその他の構成は第１〜３図のリモコンホルダ１０と同様となっており、第４図において第１〜３図と同一符号は同一部分を示している。
【００３２】
第５図のリモコンホルダ１０Ｂにおいては、多数の係合部１２が、上下方向に多段（この実施の形態では３段）に且つ左右方向に多列（この実施の形態では４列）に規則的に配置されている。ただし、この実施の形態では、隣り合う係合部１２同士を連通するスリットは設けられていない。個々の係合部１２の構成は、前述の第１〜３図のものと同様となっている。
【００３３】
このリモコンホルダ１０Ｂにあっては、所望の係合部１２に係止部３１を係合させることにより、リモコンホルダ１０Ｂ自体の取付位置を変えることなく、リモコン本体３０の上下方向及び横方向の双方の配置位置を簡単に変更することができる。
【００３４】
なお、このリモコンホルダ１０Ｂでは、リモコン本体３０の位置変更は、係止部３１をリモコンホルダ１０Ｂから離脱させ、次いで別の係合部１２に嵌め込み直すようにして行われる。
【００３５】
第６図のリモコンホルダ１０Ｃは、第５図のリモコンホルダ１０Ｂにおいて、上下に隣り合う係合部１２の係合孔１７同士を第１〜３図のリモコンホルダ１０の如くスリット１３によって連通した構成となっている。
【００３６】
このリモコンホルダ１０Ｃにおいては、リモコン本体３０の配置高さを変更する場合には、スリット１３を通して係止部３１の係合先たる係合部１２を変えることができる。
【００３７】
第７図のリモコンホルダ１０Ｄにおいても、係合部１２Ｄが上下３段、横４列にて規則的に配置されている。ただし、このリモコンホルダ１０Ｄでは、横方向に隣り合う係合部１２Ｄの係合孔１７同士がスリット１３Ｄによって連通されている。この実施の形態では、個々の係合部１２Ｄは、該係合孔１７から下方に向って、係止部３１の軸部３２が係合するスリット１９Ｄが延設されている。
【００３８】
このリモコンホルダ１０Ｄにリモコン本体３０を係止するに当っては、係止部３１を所望の係合部１２Ｄの係合孔１７に差し込み、該リモコン本体３０を下方へスライドさせて該係止部３１をスリット１９Ｄに係合させる。
【００３９】
このリモコンホルダ１０Ｄにあっては、リモコン本体３０の横方向位置を変更する場合、スリット１３Ｄを通して係止部３１の係合先たる係合部１２Ｄを変えることができる。
【００４０】
上記の各実施の形態では、リモコンホルダに多数の係合部が設けられているが、リモコンホルダに係止部を設け、リモコン本体に多数の係止部が設けられてもよい。
【００４１】
第８図はこのようなリモコン装置の構成例を示す分解斜視図である。
【００４２】
この実施の形態では、リモコンホルダ１０Ｅに１対の係合部３１が設けられ、リモコン本体３０Ｅの裏面には、この係合部３１と係合する係止部１２が上下３段、横３列に設けられている。この実施の形態では、上下に隣り合う係止部１２同士がスリット１３によって連通されている。なお、この実施の形態において、係止部１２とは前述の第１〜３図の実施の形態における係合部１２と同一構成のものであり、係合部３１とは前述の第１〜３図の実施の形態における係止部３１と同一構成のものである。第８図において、第１〜３図と同一符号は同一構成の部分を示している。
【００４３】
この実施の形態でも、リモコン本体３０Ｅの配置位置を変更する場合には、スリット１３を通して係合部３１を別の係止部１２へ移動させることにより行われる。
【００４４】
上記の各実施の形態はいずれも本発明の一例を示すものであり、本発明は上記の各実施の形態に限定されるものではない。
【図面の簡単な説明】
【００４５】
【図１】実施の形態に係るリモコン装置の構成図である。
【図２】図１のII−II線に沿う断面図である。
【図３】図１のリモコン装置のリモコン本体とリモコンホルダとの分解斜視図である。
【図４】係合部の別の構成例の説明図である。
【図５】係合部の別の構成例の説明図である。
【図６】係合部の別の構成例の説明図である。
【図７】係合部の別の構成例の説明図である。
【図８】別の実施の形態に係るリモコン装置の分解斜視図である。
【符号の説明】
【００４６】
１  壁面
１０，１０Ａ〜１０Ｅ  リモコンホルダ
１２，１２Ａ，１２Ｄ  係合部
１３，１３Ｄ  スリット
３０，３０Ｅ  リモコン本体
３１  係止部
３２  軸部
３３  大径部
【図１】
2006197363.tif 000003
【図２】
2006197363.tif 000004
【図３】
2006197363.tif 000005
【図４】
2006197363.tif 000006
【図５】
2006197363.tif 000007
【図６】
2006197363.tif 000008
【図７】
2006197363.tif 000009
【図８】
2006197363.tif 000010